(57)【要約】    【課題】  シャッタカーテンを構成するパネルに於いて、窓が設けられる、設けられないに関わらず、又製作コストを増大させることなく効果的な補強が可能であり、又補強を行った場合でも意匠性を損うことのない様にする。    【解決手段】  少なくとも一部がパネル３１で構成されたシャッタカーテン、特にシャッタカーテンのパネル構造に於いて、パネル本体３２が押出し又は引抜き成形品であり、平板部３７の上端部、下端部に中空部３５，３６が形成され、いずれか一方の中空部には雌連結部１４が設けられ、他方の中空部には雌連結部と連結可能な雄連結部１５が設けられ、少なくとも上端部、下端部のいずれか一方の中空部に中空の補強部材３３が取付けられた。    【選択図】          図１
2005282028.tif 000002
【特許請求の範囲】
【請求項１】
少なくとも一部がパネルで構成されたシャッタカーテン、特にシャッタカーテンのパネル構造に於いて、パネル本体が押出し又は引抜き成形品であり、平板部の上端部、下端部に中空部が形成され、いずれか一方の中空部には雌連結部が設けられ、他方の中空部には雌連結部と連結可能な雄連結部が設けられ、少なくとも上端部、下端部のいずれか一方の中空部に中空の補強部材が取付けられたことを特徴とするシャッタカーテンのパネル構造。
【請求項２】
前記中空部に係合溝が形成され、前記補強部材は前記係合溝に嵌合可能な係合部と該係合部と反対側に形成されたフランジ部とを有し、前記補強部材の取付けは前記係合溝に前記係合部が嵌合され、前記フランジ部が固着具によって前記中空部に固定された請求項１のシャッタカーテンのパネル構造。
【請求項３】
前記補強部材は、２箇所に形成されたフランジ部を有し、該フランジ部が固着具によって前記中空部に固着された請求項１のシャッタカーテンのパネル構造。
【請求項４】
前記補強部材は雄連結部が形成された中空部に取付けられ、一方のフランジ部には雄連結部の欠切部を補充する軸押えが形成され、該軸押えと前記雄連結部によりガイドローラの軸を保持可能とした請求項３のシャッタカーテンのパネル構造。
【請求項５】
前記中空部はパネル面に対して垂直な面を有し、前記フランジ部は前記垂直な面と重合可能に延出し、該フランジ部を覆う様に前記補強部材と前記パネル本体間に補助部材が設けられる請求項２又は請求項３のシャッタカーテンのパネル構造。
【発明の詳細な説明】
【技術分野】
【０００１】
本発明は、少なくとも一部がパネルで構成されたシャッタカーテン、特にシャッタカーテンのパネル構造に関するものである。
【背景技術】
【０００２】
建屋等の構築構造物の出入口、窓等の開口部、或は車両のコンテナ、荷台の開口部等を開閉する開閉手段としてシャッタ装置がある。シャッタ装置としては、例えば、シャッタカーテンが天井面に沿って格納されるオーバへッドドアやパネルシャッタ等が挙げられ、斯かるシャッタ装置はパネルが屈曲可能に連結されて構成されたシャッタカーテンを具備している。
【０００３】
図１３〜図１５によって、シャッタ装置の１つであるオーバヘッドドアの概略を説明する。
【０００４】
建屋等の構築構造物の開口部の両側柱に沿って、垂直ガイドレール１が設けられ、天井に沿って水平ガイドレール２が設けられ、前記垂直ガイドレール１と前記水平ガイドレール２とは湾曲レール３によって連結されている。前記垂直ガイドレール１の上方には水平な巻取シャフト４を具備する開閉装置５が設けられている。
【０００５】
前記垂直ガイドレール１、前記湾曲レール３、前記水平ガイドレール２に沿ってシャッタカーテン６がスライド可能となっており、該シャッタカーテン６は所要数のパネル７が屈曲自在に連結されて構成されている。
【０００６】
前記巻取シャフト４の両端部にはドラム８が設けられ、該ドラム８に巻付けられたワイヤ９が前記シャッタカーテン６の下端部に係着されている。開口部が開かれる場合は、前記開閉装置５により前記巻取シャフト４を介し前記ドラム８が回転されることで前記ワイヤ９が巻取られ、前記シャッタカーテン６が前記垂直ガイドレール１に沿って引上げられ、更に前記水平ガイドレール２に格納される様になっている。
【０００７】
又、開口部が閉じられる場合は、前記開閉装置５により前記巻取シャフト４を介して前記ドラム８が逆方向に回転され、前記ワイヤ９が繰出されて前記シャッタカーテン６が降下され、開口部が閉じられる。
【０００８】
シャッタカーテンの従来のパネル構造として例えば特許文献１がある。図１６、図１７により従来のパネル構造について説明する。
【０００９】
前記パネル７はアルミ等の引抜き成形、或は押出し成形により一体成形される。該パネル７は、主に表パネル部１１と裏パネル部１２から成る中空構造であり、中空部１０の中途部に補強用の中間リブ部１３が、前記表パネル部１１と裏パネル部１２間に掛渡されて形成されている。
【００１０】
前記パネル７の上端部に図中、右上部分が欠切された円筒形状の雌連結部１４が形成され、前記パネル７の下端部にフック形状の雄連結部１５が形成され、該雄連結部１５は下側に位置するパネル７の雌連結部１４と回転自在に嵌合する。
【００１１】
前記雄連結部１５の両端部には軸１６が嵌合され、軸押え１８によって前記雄連結部１５の両端部に固定されている。前記軸１６にはガイドローラ１７が回転自在に設けられ、該ガイドローラ１７は前記垂直ガイドレール１、前記湾曲レール３、前記水平ガイドレール２に回転自在に嵌合する様になっている。
【００１２】
而して、前記パネル７が所要枚数連結され、前記シャッタカーテン６が形成され、前記ガイドローラ１７が前記垂直ガイドレール１、前記湾曲レール３、前記水平ガイドレール２内を移動し、前記シャッタカーテン６は前記ガイドローラ１７を介して前記垂直ガイドレール１、前記湾曲レール３、前記水平ガイドレール２に案内され、前記垂直ガイドレール１に沿って昇降し、前記湾曲レール３を通過する場合は該湾曲レール３の形状に倣って屈曲し、更に前記水平ガイドレール２に沿って水平移動して格納される。
【００１３】
更に、シャッタカーテンが閉じられた状態で、採光が要求される場合、或は通気が要求される場合は、明り取り用窓、通気用窓等の窓がパネルに設けられる。
【００１４】
パネルに窓が設けられた従来のシャッタカーテンのパネル構造として例えば特許文献２があり、図１８により説明する。尚、図１８中、図１７中で示したものと同等のものには同符号を付してあり、又特許文献２中ではパネルはスラットとして表現されている。
【００１５】
パネル７は中空断面であり、該パネル７の上部には上段のパネル７と連結する上フック部２２を有し、前記パネル７の下部には下段のパネル７と連結する下フック部２３を有している。
【００１６】
前記パネル７には表パネル部１１（図１８中凸面部）、裏パネル部１２を貫通する窓孔２４，２５が穿設され、前記パネル７の内部には、スライド可能に窓板材２８が設けられ、該窓板材２８によって前記窓孔２４，２５が開閉される様になっている。
【００１７】
上記した様に、パネルを押出し成形材、引抜き成形材で構成した場合、一般的に中空構造とされ、パネルの強度が確保されている。
【００１８】
ところが、上記した様に明り取り用窓、通気用窓等の窓がパネルに設けられる場合、窓が設けられる部分は中空構造ではなくなり、強度が低下する。この為、窓が明けられるシャッタカーテンでは、充分な剛性、強度を得る為、パネルの厚み（パネルの断面積）が大きいものが用いられる。或は、開口部の間口寸法が大きいシャッタカーテンではやはり充分な剛性、強度を有するパネルが必要であり、厚みが大きいものが用いられる。或は、図１９に示される様に、シャッタカーテンの所要箇所のパネル７に補強部材２９が取付けられ、剛性、強度が補われていた。
【００１９】
従って、従来ではパネルに窓が設けられる場合で強度が要求されるものについて、断面形状の大きいパネルを用意する必要があり、この為パネルの種類が多くなり、部品管理が煩雑となる。又、中空部に窓を加工する為、加工手段はフライス加工等の機械加工となり、製作コストが高くなる。
【００２０】
更に、同一のパネルを用いて、状況に応じて補強部材２９を取付けて剛性、強度を補う場合、補強部材２９が取付けられるパネルには該補強部材２９との関係で窓が設けられないという制約が生じる。又、補強部材２９が設けられたパネルと設けられないパネルとで意匠上の統一性が損なわれる虞れがあった。
【００２１】
【特許文献１】特開２００３−１３６７４号公報
【００２２】
【特許文献２】特開平１１−２２９７３２号公報
【発明の開示】
【発明が解決しようとする課題】
【００２３】
本発明は斯かる実情に鑑み、窓が設けられる、設けられないに関わらず、又製作コストを増大させることなく効果的な補強が可能であり、又補強を行った場合でも意匠性を損うことのないパネルを提供するものである。
【課題を解決するための手段】
【００２４】
本発明は、少なくとも一部がパネルで構成されたシャッタカーテン、特にシャッタカーテンのパネル構造に於いて、パネル本体が押出し又は引抜き成形品であり、平板部の上端部、下端部に中空部が形成され、いずれか一方の中空部には雌連結部が設けられ、他方の中空部には雌連結部と連結可能な雄連結部が設けられ、少なくとも上端部、下端部のいずれか一方の中空部に中空の補強部材が取付けられたシャッタカーテンのパネル構造に係り、又前記中空部に係合溝が形成され、前記補強部材は前記係合溝に嵌合可能な係合部と該係合部と反対側に形成されたフランジ部とを有し、前記補強部材の取付けは前記係合溝に前記係合部が嵌合され、前記フランジ部が固着具によって前記中空部に固定されたシャッタカーテンのパネル構造に係り、又前記補強部材は、２箇所に形成されたフランジ部を有し、該フランジ部が固着具によって前記中空部に固着されたシャッタカーテンのパネル構造に係り、又前記補強部材は雄連結部が形成された中空部に取付けられ、一方のフランジ部には雄連結部の欠切部を補充する軸押えが形成され、該軸押えと前記雄連結部によりガイドローラの軸を保持可能としたシャッタカーテンのパネル構造に係り、更に又前記中空部はパネル面に対して垂直な面を有し、前記フランジ部は前記垂直な面と重合可能に延出し、該フランジ部を覆う様に前記補強部材と前記パネル本体間に補助部材が設けられるシャッタカーテンのパネル構造に係るものである。
【発明の効果】
【００２５】
本発明によれば、少なくとも一部がパネルで構成されたシャッタカーテン、特にシャッタカーテンのパネル構造に於いて、パネル本体が押出し又は引抜き成形品であり、平板部の上端部、下端部に中空部が形成され、いずれか一方の中空部には雌連結部が設けられ、他方の中空部には雌連結部と連結可能な雄連結部が設けられ、少なくとも上端部、下端部のいずれか一方の中空部に中空の補強部材が取付けられたので、パネル本体に窓部が形成された場合等に制約を受けることなく、補強部材が設けられ、窓を設ける場合には平板部に形成されるので、加工が簡単となり、製作費の低減が可能である。
【００２６】
又本発明によれば、前記補強部材は、２箇所に形成されたフランジ部を有し、該フランジ部が固着具によって前記中空部に固着され、前記補強部材は雄連結部が形成された中空部に取付けられ、一方のフランジ部には雄連結部の欠切部を補充する軸押えが形成され、該軸押えと前記雄連結部によりガイドローラの軸を保持可能としたので、ガイドローラの軸を保持する為の軸押えが不要となり、部品点数が減少する。
【００２７】
又本発明によれば、前記中空部はパネル面に対して垂直な面を有し、前記フランジ部は前記垂直な面と重合可能に延出し、該フランジ部を覆う様に前記補強部材と前記パネル本体間に補助部材が設けられるので、固着具が隠され、意匠性が向上する等の優れた効果を発揮する。
【発明を実施するための最良の形態】
【００２８】
以下、図面を参照しつつ本発明を実施する為の最良の形態を説明する。
【００２９】
図１〜図５に於いて、第１の実施の形態について説明する。尚、図１〜図５はシャッタカーテンを構成するパネル３１を示しており、図中、図１７中で示したものと同等のものには同符号を付しその説明を省略する。
【００３０】
前記パネル３１は、パネル本体３２、補強部材３３、補助部材３４によって構成され、前記パネル本体３２、前記補強部材３３、前記補助部材３４は、アルミニウムや合成樹脂等の材質で、それぞれ押出し成形品、或は引抜き成形品である。
【００３１】
図２に於いて、前記パネル本体３２について説明する。
【００３２】
該パネル本体３２の上端部には上部中空部３５、下端部には下部中空部３６が形成され、前記上部中空部３５と前記下部中空部３６間は平板部３７となっている。前記上部中空部３５の上端には雌連結部１４、前記下部中空部３６の下端部には雄連結部１５がそれぞれ形成され、前記雌連結部１４と前記上部中空部３５の境界部には係合溝３８が形成されている。
【００３３】
前記補強部材３３は断面が中空形状となっており、断面形状は底辺部３９と斜辺部４０を有する略直角３角形状であり、前記底辺部３９の両端には脚部４１、垂直フランジ部４２が形成され、前記脚部４１は前記係合溝３８と係合可能な係合部４３が鉤状に形成されている。又、前記底辺部３９と前記垂直フランジ部４２とは前記上部中空部３５に契合する形状となっている。
【００３４】
前記垂直フランジ部４２の外面（図３中では下面）側には対向する２つの突条４４，４４が形成され、該突条４４，４４は対向面先端には鏃状の鉤部が形成されている。
【００３５】
前記補助部材３４は、斜辺部４５と垂直部４６を有し、前記斜辺部４５は前記補強部材３３の斜辺部４０と連続し、前記垂直部４６は前記垂直フランジ部４２と対向する様になっており、前記垂直部４６の前記垂直フランジ部４２との対向面（図５中上面）には前記突条４４，４４に内嵌する突条４７，４７が形成され、該突条４７，４７の先端外面には前記突条４４，４４と契合可能な鉤部が形成されている。
【００３６】
前記パネル本体３２、前記補強部材３３、前記補助部材３４は図３〜図５に示される手順で一体化される。
【００３７】
先ず、前記補強部材３３の前記係合部４３が前記係合溝３８に嵌合され、前記底辺部３９と前記垂直フランジ部４２が前記上部中空部３５に契合する様に前記補強部材３３が前記上部中空部３５に取付けられる。
【００３８】
前記垂直フランジ部４２と前記上部中空部３５とが所要間隔で螺子、リベット等所要の固着具４８により固着される。尚、該固着具４８は前記突条４４，４４の間に設けられる。
【００３９】
前記補助部材３４の突条４７，４７と前記突条４４，４４とを嵌合させ、前記補助部材３４を前記補強部材３３に取付ける。前記補助部材３４の前記斜辺部４５は前記斜辺部４０に連続し、前記平板部３７に達し、前記垂直フランジ部４２を含む上部中空部３５と平板部３７との角部を覆う。
【００４０】
尚、前記突条４４，４４と前記突条４７，４７とは、図５中矢印で示す様に嵌込んでも、或は紙面に対して垂直方向から差込みスライドさせてもよい。前記補助部材３４には強度が要求されないので、合成樹脂で成形してもよい。更に、上記説明では前記補助部材３４は突条４４，４４、突条４７，４７を介して取付けられる様にしたが、前記補強部材３３に孔を穿設し、前記補助部材３４側に凸部を形成し、凸部を前記孔に圧入する等の方法で取付ける等種々の方法が考えられる。更に又、前記補助部材３４は前記平板部３７に取付ける様にしてもよい。
【００４１】
前記斜辺部４０と前記斜辺部４５とは隙間なく連続するので、前記補強部材３３と前記補助部材３４との一体性が生じ、又該補助部材３４を取付けることで、前記固着具４８の頭部が隠れるので意匠性が向上する。尚、該固着具４８の頭部が露出しても外観上支障ない場合は、前記補助部材３４は省略してもよい。
【００４２】
前記補強部材３３の両端部を前記上部中空部３５にボルト４９等により固着する。尚、前記固着具４８による固定強度が充分である場合は、前記ボルト４９による固定は省略できる。
【００４３】
又、前記補強部材３３の断面形状は、略直角３角形状に限られるものではなく、例えば矩形形状であってもよい。要は、前記パネル本体３２に対して垂直方向に高さを有する形状であって、シャッタカーテンが収納される場合にシャッタ装置の他の構成部材と干渉しない形状であればよい。
【００４４】
更に、前記補強部材３３は必ずしも全てのパネルに設ける必要はなく、適宜箇所のパネルに設けてもよい。又、全てのパネルに設けた場合は、シャッタカーテン全体として剛性、強度が増大するので、補強部材３３単体の断面形状は小さくできる。
【００４５】
前記パネル３１の構成に於いて、強度を負担する部分は上端部、下端部であり、中央部は平板部３７によって形成されている。この為、窓を形成する場合に、強度負担部分が干渉することなく、窓を形成する制約がない。又、窓を形成する部分がパネル本体３２であるので加工上の制約もなくなり、プレス加工等により窓加工が可能となり、前記パネル本体３２の製作コストが低減し、更に機械加工をした場合等に発生する切粉がないので、加工時の傷つきも防止できる。
【００４６】
図６は、第２の実施の形態を示しており、該第２の実施の形態では前記補強部材３３の高さ寸法を大きくし、該補強部材３３の補強効果を増大させたものである。
【００４７】
該補強部材３３に於いて、斜辺部４０が前記補助部材３４の斜辺部４５と滑らかに接合する様、前記斜辺部４０の形状を決定すれば、前記補強部材３３の形状を変更しても、前記補助部材３４は共通化できる。
【００４８】
図７〜図１２は第３の実施の形態を示している。尚、図７〜図１２に於いて、図１〜図５中で示したものと同等のものには同符号を付し、その説明を省略する。
【００４９】
該第３の実施の形態に於いて、第１の実施の形態と同様、パネル５１はパネル本体５２、補強部材５３、補助部材５４によって構成され、前記補強部材５３が前記下部中空部３６に設けられたものである。
【００５０】
図８はパネル本体５２を示しており、前記下部中空部３６の断面は平板部３７に対して垂直な上面部５５、前記平板部３７に対して平行な垂直面部５６を有する略矩形形状となっており、前記下部中空部３６の下端に雄連結部１５が形成されている。前記下部中空部３６の両端部内面にはナット５７が所要箇所に固着されている。
【００５１】
図９により前記補強部材５３について説明する。
【００５２】
該補強部材５３は断面が中空形状となっており、中空部は前記補強部材３３と同様断面形状は底辺部５８と斜辺部５９とを有する略直角３角形状であり、前記底辺部５８の上端から直角に延出する垂直フランジ部６１及び前記底辺部５８の下端から下方に延出する平行フランジ部６２とを有している。
【００５３】
前記垂直フランジ部６１の上面には対向する２つの突条４４，４４が突設され、該突条４４，４４の対向面先端には鏃状の鉤部が形成されている。前記平行フランジ部６２の下端部には前記雄連結部１５の欠切された円筒部を充足する軸押え６３が形成されている。
【００５４】
前記補助部材５４は上記した補助部材３４と同等な形状であるので同符号を付し、説明を省略する。
【００５５】
前記底辺部５８と前記垂直フランジ部６１とを前記下部中空部３６に契合させ、前記垂直フランジ部６１と前記下部中空部３６の上面とが所要間隔で螺子、リベット等所要の固着具４８により固着される。尚、該固着具４８は前記突条４４，４４の間に設けられる。前記平行フランジ部６２を挿通した螺子、リベット等所要の固着具６４を前記ナット５７に螺合して固着する。
【００５６】
前記補助部材５４の突条４７，４７と前記補強部材５３の突条４４，４４とを嵌合させ、前記補助部材５４を前記補強部材５３に取付ける。前記斜辺部５９と前記斜辺部４５とは隙間なく連続するので、前記補強部材５３と前記補助部材５４との一体性が生じ、又該補助部材５４を取付けることで、前記固着具４８の頭部が隠れるので意匠性が向上する。尚、該固着具４８の頭部が露出しても外観上支障ない場合は、前記補助部材５４は省略してもよい。
【００５７】
前記補強部材５３が前記下部中空部３６に固着されることで、前記軸押え６３が前記雄連結部１５の欠切部を充足し、ガイドローラ１７の軸１６を固定保持する（図１６参照）。前記補強部材５３が従来の軸押え１８を兼ねるので、部品点数が減少する。
【００５８】
尚、補強部材５３と前記平行フランジ部６２とを別部品とし、前記下部中空部３６に係合溝を形成し、第１の実施の形態と同様に、前記平行フランジ部６２の下端を係合溝に係合させて取付ける様にしてもよい。
【００５９】
第３の実施の形態に於いても、前記補強部材５３の高さ寸法を大きくすることで、該補強部材５３の補強効果を増大させることができる。
【００６０】
尚、上記実施の形態では、上部中空部、下部中空部のいずれか一方に補強部材を設けた場合を説明したが、上部中空部、下部中空部の両方に補強部材を設けてもよい。
【図面の簡単な説明】
【００６１】
【図１】本発明の第１の実施の形態を示す側面図である。
【図２】本発明の第１の実施の形態に係るパネル本体を示す側面図である。
【図３】本発明の第１の実施の形態に於いて、パネル本体に補強部材を取付ける場合の説明図である。
【図４】本発明の第１の実施の形態に於いて、パネル本体に補強部材を取付ける場合の説明図である。
【図５】本発明の第１の実施の形態に於いて、補助部材を取付ける場合の説明図である。
【図６】本発明の第２の実施の形態を示す側面図である。
【図７】本発明の第３の実施の形態を示す側面図である。
【図８】本発明の第３の実施の形態に係るパネル本体を示す側面図である。
【図９】本発明の第３の実施の形態に係る補強部材を示す側面図である。
【図１０】本発明の第３の実施の形態に於いて、補強部材を取付ける場合の説明図である。
【図１１】本発明の第３の実施の形態に於いて、補強部材を取付ける場合の説明図である。
【図１２】本発明の第３の実施の形態に於いて、補助部材を取付ける場合の説明図である。
【図１３】オーバヘッドドアの概略側面図である。
【図１４】オーバヘッドドアの概略正面図である。
【図１５】オーバヘッドドアの開閉装置の概略図である。
【図１６】従来のシャッタカーテンの要部斜視図である。
【図１７】従来のシャッタカーテンのパネル構造を示す側断面図である。
【図１８】従来の他のシャッタカーテンのパネル構造を示す側断面図である。
【図１９】従来のパネル補強構造を示す側面図である。
【符号の説明】
【００６２】
３１            パネル
３２            パネル本体
３３            補強部材
３４            補助部材
３５            上部中空部
３６            下部中空部
３７            平板部
３８            係合溝
４２            垂直フランジ部
４３            係合部
４４            突条
４７            突条
５１            パネル
５２            パネル本体
５３            補強部材
５４            補助部材
６２            平行フランジ部
６３            軸押え
【図１】
2005282028.tif 000003
【図２】
2005282028.tif 000004
【図３】
2005282028.tif 000005
【図４】
2005282028.tif 000006
【図５】
2005282028.tif 000007
【図６】
2005282028.tif 000008
【図７】
2005282028.tif 000009
【図８】
2005282028.tif 000010
【図９】
2005282028.tif 000011
【図１０】
2005282028.tif 000012
【図１１】
2005282028.tif 000013
【図１２】
2005282028.tif 000014
【図１３】
2005282028.tif 000015
【図１４】
2005282028.tif 000016
【図１５】
2005282028.tif 000017
【図１６】
2005282028.tif 000018
【図１７】
2005282028.tif 000019
【図１８】
2005282028.tif 000020
【図１９】
2005282028.tif 000021